(57)【要約】  【課題】表示装置をカードに内蔵した表示部付きカードで、カードが磁気記録部付きカードの場合でも表示部が磁気読取装置の搬送ローラによって損傷されることがない表示部付きカードを提供する。【解決手段】カード基体内に少なくとも表示部を有する表示装置を内蔵し表示情報をカード面から目視可能に表示する表示部付きカードであって、前記カード基体は少なくとも透明な表カバーシート、コアシート、裏カバーシートが順次貼り合わされた積層構造で、前記表カバーシートの表出面側には帯状の磁気記録部が形成され、前記表示情報を表示する短冊状の窓部が前記磁気記録部と平行に形成され、前記窓部を除く部分には全面に遮蔽層が形成され、前記窓部の前記表カバーシート表出面には１０μｍ以上の深さを有する凹部を形成した表示部付きカードを提供する。【選択図】  図１
2011237964.tif 000002
【特許請求の範囲】
【請求項１】
カード基体内に少なくとも表示部を有する表示装置を内蔵し表示情報をカード面から目視可能に表示する表示部付きカードであって、前記カード基体は少なくとも透明な表カバーシート、コアシート、裏カバーシートが順次貼り合わされた積層構造で、前記表カバーシートの表出面側には帯状の磁気記録部が形成され、前記表示情報を表示する短冊状の窓部が前記磁気記録部と平行に形成され、前記窓部を除く部分には全面に遮蔽層が形成され、前記窓部の前記表カバーシート表出面には１０μｍ以上の深さを有する凹部が形成されたことを特徴とする表示部付きカード。
【請求項２】
請求項１に記載の表示部付きカードにおいて、
短冊状の窓部の幅は磁気記録装置のカード搬送ローラの幅より狭く形成されたことを特徴とする表示部付きカード。
【請求項３】
請求項１または２に記載の表示部付きカードにおいて、
表示部付きカードに内蔵された表示装置の表示部は、電源部，電源ＯＮ／ＯＦＦスイッチ，制御部とともに同一基板の片面に形成され、表カバーシート面の遮蔽層の電源ＯＮ／ＯＦＦスイッチの周辺部には窓部と同様の凹部が形成され、前記凹部を押すことによって前記電源ＯＮ／ＯＦＦスイッチが作動し表示部に情報が表示されることを特徴とする表示部付きカード。
【発明の詳細な説明】
【技術分野】
【０００１】
本発明は、表示装置をカード内部に内蔵し、カードの所定の位置に形成された窓部から表示部に表示された表示情報をカード面から視認可能とした表示部付きカードに関する。
【背景技術】
【０００２】
近年、インターネットバンキング等では、利用者にキャッシュカードを発行するとともに、本人認証ツールとして乱数表を一緒に配布し、預金引き出しの際のパスワードの変更時等に本人を認証するツールとして使用している。
また、ＩＣカードを使用したワンタイムパスワード生成ツールや、ＩＣチップに記録された内容を確認できるＩＣカードも提案されている（例えば、特許文献１参照）。
【先行技術文献】
【特許文献】
【０００３】
【特許文献１】特開２００８−２９９７８３号公報
【発明の概要】
【発明が解決しようとする課題】
【０００４】
本発明は、表示装置をカードに内蔵した表示部付きカードで、カードが磁気記録部付きカードの場合でも表示部及び電源ＯＮ／ＯＦＦスイッチが磁気読取装置の搬送ローラによって損傷又は誤動作されることがない表示部付きカードを提供することを目的とするものである。
【課題を解決するための手段】
【０００５】
前記課題の目的を達成するために、本発明の表示部付きカードの第一の態様は、カード基体内に少なくとも表示部を有する表示装置を内蔵し表示情報をカード面から目視可能に表示する表示部付きカードであって、前記カード基体は少なくとも透明な表カバーシート、コアシート、裏カバーシートが順次貼り合わされた積層構造で、前記表カバーシートの表出面側には帯状の磁気記録部が形成され、前記表示情報を表示する短冊状の窓部が前記磁気記録部と平行に形成され、前記窓部を除く部分には全面に遮蔽層が形成され、前記窓部の前記表カバーシート表出面には１０μｍ以上の深さを有する凹部が形成されたことを特徴とするものである。
【０００６】
また、第二の態様は、第一の態様において、短冊状の窓部の幅は磁気記録装置のカード搬送ローラの幅より狭く形成されたことを特徴とするものである。
【０００７】
また、第三の態様は、第一または二の態様において、表示部付きカードに内蔵された表示装置の表示部は、電源部，電源ＯＮ／ＯＦＦスイッチ，制御部とともに同一基板の片面に形成され、表カバーシート面の遮蔽層の電源ＯＮ／ＯＦＦスイッチの周辺部には窓部と同様の凹部が形成され、前記凹部を押すことによって前記電源ＯＮ／ＯＦＦスイッチが作動し表示部に情報が表示されることを特徴とするものである。
【発明の効果】
【０００８】
本発明の表示部付きカードによって、
１）  銀行のＡＴＭ（Ａｕｔｏｍａｔｅｄ  Ｔｅｌｌｅｒ  Ｍａｃｈｉｎｅ）でキャッシュカードとして利用でき、その際にカードの表示部に搬送ローラの幅より狭い状態で凹部が形成されているために、表示部が磁気読取装置の搬送ローラによって損傷、破壊されることがなく安全に使用できる。
また、クレジットカードとして店頭の端末でも使用することができる。
２）  また、カード基体内の電源ＯＮ／ＯＦＦスイッチ周辺部の遮蔽層に窓部同様の凹部を形成することによって、磁気記録装置の搬送ローラに加圧されて電源がＯＮになり電力を無駄に消費することがなくなり電源を長持ちさせることができる。
また、必要時電源入力部を操作して表示部に情報を表示することができる。
【図面の簡単な説明】
【０００９】
【図１】本実施形態の表示部付きカードの一例について説明するための図である。
【図２】図１のＡ−Ａ線断面について説明するための図である。
【図３】窓部周辺に形成された凹部について説明するための図である。
【発明を実施するための形態】
【００１０】
本発明の表示部付きカードは、表示装置をカードに内蔵したカードで、磁気記録部付きカードにも使用可能な表示部付きカードである。
以下、図面を参照して本実施形態の表示部付きカードについて説明する。
図１に示す本実施形態の表示部付きカード１は、カード基体内に少なくとも表示部を有する表示装置を内蔵し、表示情報３１０をカード面（カードの表面側）から目視可能に表示する表示部付きカードである。
前記カード基体は少なくとも透明な表カバーシート、コアシート、裏カバーシートが順次貼り合わされた積層構造を成し、表カバーシートの表出面側には帯状の磁気記録部２が形成されている。
表示情報３１０を表示する短冊状の窓部３は、前記磁気記録部２と平行に形成され、前記窓部３を除く部分には全面に遮蔽層が形成され、前記窓部３の前記表カバーシート表出面には磁気記録装置のカード搬送ローラの幅より狭い、１０μｍ以上の深さを有する凹部１４０が形成されている。
【００１１】
また、表示部付きカード１に内蔵された表示装置の表示部は、電源部，電源ＯＮ／ＯＦＦスイッチ，制御部とともに同一基板の片面に形成され、表カバーシート面の遮蔽層の電源ＯＮ／ＯＦＦスイッチ部３２の周辺部には窓部３と同様の凹部１４０が形成され、前記凹部１４０を押すことによって前記電源ＯＮ／ＯＦＦスイッチが作動し表示部に情報が表示される。
【００１２】
図１に示す表示部付きカード１の表面には、カードの名称、例えば、「ＡＢＣキャッシュカード」などの印刷情報４や、カードの挿入方向矢印などが印刷によって表示されている。
磁気記録部２は表だけに設けられている場合や、裏側だけ、表裏に設けられている場合がある。
窓部３には内蔵された表示装置の表示部に表示されたパスワードなどの表示情報３１０が表示され、表示部付きカード１の透明な表カバーシートを介してカード面から目視することができるようになっている。
【００１３】
窓部３は周囲を印刷などによって遮蔽し、窓部だけを透明な状態で残すことによって形成する。
カード基体の表面を前記のように窓部３を除いて全体を遮蔽することによって内蔵された表示装置が目視できないようにしている
窓部３の右下付近のカード基体内部には、電源をＯＮ／ＯＦＦして常に新しいパスワードを表示するための電源ＯＮ／ＯＦＦスイッチ３２が内蔵されている。
この電源ＯＮ／ＯＦＦスイッチ部３２の内蔵位置は遮蔽層の表面に印刷で表示することもできる。
【００１４】
表示部付きカード１が銀行のキャッシュカードの場合は、磁気記録部２が形成された面を上にして（図１に示すように、磁気記録部２は遮蔽層によって隠されている場合もある）、または、矢印の表示がある面を上にして、矢印の方向からキャッシュディスペンサ、または、ＡＴＭのカード挿入口にカードを挿入する。
表示部付きカード１がクレジットカードの場合も（磁気記録部はカードの裏面に形成されている）カードの表（おもて）面を上にして、店頭端末のカード挿入口にカードを挿入する。
【００１５】
図２を参照して、図１のＡ−Ａ線断面について説明する。
本実施の形態の表示部付きカードのコアシート１３の表側には透明な表カバーシート１１が、裏側には裏カバーシート１２が積層されている。裏カバーシート１２は透明なプラスチックシートで全面を遮蔽層で遮蔽しても、不透明な材料で構成してもよい。
コアシート１３に形成された開口部１３１の内側、前記表裏カバーシート１１，１２の間には、表示装置が内蔵されている。
前記表示装置の表示部３１は、透明な表カバーシート１１に形成された窓部３の内側に目視可能に実装されている。前述のように、表カバーシートは透明な材質で構成され、表面を遮蔽層１４によって遮蔽し、遮蔽層１４に設けられた窓部３から、表示装置の表示部３１が見えるようになっている。
本実施形態の場合は、磁気記録部２は遮蔽層１４によって被覆され、カードの表出面からはその存在が判別できない状態になっている。
【００１６】
表示部３１は、図示しないが制御部，電源部、及び電源ＯＮ／ＯＦＦスイッチ３２と一緒に一枚の基板上に固定されている。
基板は位置決めのために、裏カバーシート１１などに固定され、前述のコアシート１３に形成された開口部１３１の内側に接着剤が流しこまれ、表示部は、制御部、電源部、電源ＯＮ／ＯＦＦスイッチ３２と共に内蔵される。
表示部の表示情報がカードの表面から視認できるように前述の接着剤は、固化した状態で透明な接着剤が使用される。
【００１７】
図３を参照して、窓部周辺に形成された凹部について説明する。
ＣＤ（Ｃａｓｈ  Ｄｉｓｐｅｎｓｅｒ）やＡＴＭなどの磁気記録装置は、表示部付きカードを搬送ローラ５で駆動して磁気記録部に記録された磁気データを読取り、また、書き込みを行う。
金融機関や、流通業界で使用される銀行カード、クレジットカードについては、ＩＳＯ（国際標準化機構）及びＪＩＳ（日本工業規格）によって標準化されていて、磁気記録部付きカードの寸法や形成位置に関しては、ＩＳＯ７８１１／２，７８１１／４，７８１１／５、ならびに、ＪＩＳ  Ｘ６３０１及びＪＩＳ  Ｘ６３０２に規定されている。
【００１８】
磁気記録装置は、カードを端から端まで搬送させて磁気記録部２に記録された７２桁の磁気記録データを読み取る。
ＩＣカードに関しては、ＩＣチップに記録された情報を、カードを搬送させて読み取る場合と、カードの一部を読取装置に差し込んで読ませる場合と両方存在する。
本実施形態の表示部付きカードは、パスワードなどの情報を表示する表示部を読取装置の搬送ローラによって損傷させないように配置することが目的の一つになっており、以下の説明では、磁気記録装置で読み取らせることを前提に説明する。
【００１９】
銀行のＣＤやＡＴＭを供給している複数のメーカーの磁気記録装置（読取り／書込み装置）について、カードを搬送する搬送ローラのローラ幅ａについて調査した。
その結果、図３に示すローラ幅ａは、２１ｍｍ＞ａ≧１２ｍｍであることがわかった。
【００２０】
（実施例）
図２を参照して、表示部の凹部３の深さを決定するために以下の実験を行った。
カード基体の厚さをＩＳＯで許容されている最大値０．８４ｍｍのカードとするために、接着剤の厚さを調整しながらカードを作製した。
カードの搬送ローラが接触する位置に凹部３を形成し、図２に示す位置に表示装置の表示部３１を固定した。
表カバーシートに、深さ５μｍの凹部を有するカード、８μｍの凹部を有するカード、１０μｍの凹部を有するカードをそれぞれ５枚ずつサンプルとして作製した。
試験装置として、三協精機製の磁気カード読取装置を使用し、前述の凹部が形成された３種類の表示部付きカードで読取試験を行い、表示部の破壊状況を確認した。
実験の結果、凹部の深さ５μｍのカードは全数表示部が破壊し表示情報を表示しなくなった。
また、凹部の深さ８μｍのカードは５枚中１枚が破壊し表示情報を表示しなくなった。
また、凹部の深さ１０μｍのカードは５枚共表示部に異常は発生しなかった。
【００２１】
前述の実験により、本発明の表示部付きカードは短冊状の凹部の幅を１１ｍｍとし、表示装置の表示部の幅を１０ｍｍと設定すればよいということが判った。
また、表示部が形成されている凹部の深さは、１０μｍ以上とすることによって表示部は磁気読取り装置の搬送ローラで破壊されないことが判った。
図３では説明の対象としていないが、遮蔽層表面の電源ＯＮ／ＯＦＦスイッチ部３２の周辺に形成された凹部が磁気読取り装置の搬送ローラが接触する場所になっている場合でも、搬送ローラによって電源がＯＮになることはなかった。
【００２２】
図２を参照して、本実施形態の表示部付きカードの作製手順について説明する。
まず、透明なカバーシート１１に磁気記録部２を熱転写などの方法で形成する。
次に、スクリーン印刷で、前記磁気記録部２が形成されたカバーシート１１の表面に窓部３を残し遮蔽層１４を形成する。スクリーン印刷で印刷したインキ面を平滑にするために遮蔽層が形成された表カバーシート１１を光沢板で加熱加圧する。
過熱加圧時、表カバーシートに１０μｍの深さの凹部を形成させるために、光沢板の所定の場所に凹部と同一形状の金属片を耐熱性の接着剤で貼付しておく。
多面付けで行う場合は、面付け数に応じて所定の位置に金属片を貼付する。
同様、透明な裏カバーシート１２の表出面側全面に遮蔽層を形成し、表カバーシートと同一条件（金属片は不要）で光沢板によって加熱加圧する。
開口部１３１が形成されたコアシート１３と裏カバーシート１２を固定し、開口部３１１に表示装置を所定の位置に固定する。
開口部に接着剤を注入し、前述の凹部が形成された表カバーシート１１をコアシート１３の上から被せる。
全体を、圧着装置で圧着又は圧着ローラで圧着し、エア抜きを行った状態で所定時間放置して接着剤を硬化させる。
硬化したことを確認してカード形状に型抜きする。
外部端子付きＩＣカードの場合は、型抜きされたカードの所定位置にＩＣモジュールを搭載しＩＣカードとする。
【００２３】
（材料）
表示部付きカードに使用される材料について説明する。
一枚の基板上に表示部、制御部、電源部、電源ＯＮ／ＯＦＦスイッチが搭載された表示装置を準備する。表示装置の表示部には液晶、有機ＥＬなどの表示体を使用し、電源部にはペーパー状のリチウム電池を使用する。
積層カードに使用される樹脂フィルムには、厚さ、０．０５ｍｍ〜０．７ｍｍの透明又は乳白のポリエステル、ポリカーボネート、ポリ乳酸、アクリル、ポリ塩化ビニルなどのプラスチックフィルムを準備し、選択して使用する。
印刷インキには、市販の紫外線硬化型のオフセットインキ、スクリーンインキ等を使用する。
また、充填用の接着剤として、常温硬化型の接着剤を使用する。
使用される材料は、上記に限定されるものではない。
【産業上の利用可能性】
【００２４】
本発明の表示部付きカードはインターネットバンキングなどで本人認証ツールとして利用できる。
【符号の説明】
【００２５】
１      表示部付きカード
２      磁気記録部
３      窓部
４      印刷情報
５      磁気読取装置のカード搬送ローラ
１１    表カバーシート
１２    裏カバーシート
１３    コアシート
１４    遮蔽層
３１    表示部
３２    電源ＯＮ／ＯＦＦスイッチ部（電源ＯＮ／ＯＦＦスイッチ）
５１    搬送ローラ駆動軸
１３１  開口部
１４０  凹部
３１０  表示情報
【図１】
2011237964.tif 000003
【図２】
2011237964.tif 000004
【図３】
2011237964.tif 000005